(57)【特許請求の範囲】
【請求項１】
用紙を含む対象物の端部にインデックスラベルを貼り付けるためのインデックスラベル貼付補助具であって、
前記対象物の形状及び大きさに合わせて形成されたシート状のシート部と、
前記シート部の端部に隣接するように設けられ、前記対象物に隣接して前記対象物の載置位置を決定する壁部と、を備え、
前記シート部には、前記対象物が載置されるシート本体部と、前記対象物に貼り付けられる前記インデックスラベルの貼付位置を示す貼付位置指示部と、前記対象物の載置位置を示す載置位置指示部と、を有し、
前記壁部は、前記シート部における前記貼付位置指示部が設けられていない辺に隣接するように設けられた、
ことを特徴とするインデックスラベル貼付補助具。
【請求項２】
前記貼付位置指示部は、前記シート部における上辺及び右辺に設けられ、
前記壁部は、前記シート部における下辺及び左辺に隣接するように略Ｌ字形状に設けられた、
ことを特徴とする請求項１に記載のインデックスラベル貼付補助具。
【請求項３】
前記載置位置指示部は、前記壁部に接するように設けられた目盛りであり、
前記対象物は、前記目盛りに合わせて載置されることで前記壁部に隣接しない位置にて前記インデックスラベルが張り付けられる、
ことを特徴とする請求項１または２のいずれか１項に記載のインデックスラベル貼付補助具。
【請求項４】
前記壁部には、
前記対象物を前記シート本体部と挟持して固定するためのクリップ部が設けられた、
ことを特徴とする請求項１ないし３のいずれか１項に記載のインデックスラベル貼付補助具。
【請求項５】
前記インデックスラベル貼付補助具は、複数種類の前記インデックスラベルに対応した前記貼付位置指示部を有する複数のシート部を備え、
前記貼付位置指示部は、前記シート本体部に対して折り畳み可能に設けられ、
前記複数のシート部は、前記対象物に対して前記複数種類のインデックスラベルの貼付位置を示す、
ことを特徴とする請求項１ないし４のいずれか１項に記載のインデックスラベル貼付補助具。
【発明の詳細な説明】
【技術分野】
【０００１】
この発明は、用紙等の対象物にインデックスラベルを貼り付けるためのインデックスラベル貼付補助具に関する。
【背景技術】
【０００２】
各種書類や資料に用いられる用紙の端部には、見出しとしてインデックスラベルが貼り付けられることがある。一般的に、このインデックスラベルは、一方の面が粘着面であり、他方の面が各種情報の記載欄になっているシール状の紙片により形成されていて、粘着面が対象物（例えば、用紙）の端部に貼り付けられて２つ折りにされ、各種情報の記載欄にその資料等の見出し名称が記載されて使用される。そして、用紙におけるインデックスラベルの貼付位置は、見出しとして使用されるために重ならないようにずらしながら貼り付けられる。
【０００３】
例えば、官公庁への提出書類を作成する場合、膨大な量の資料を提出することがあり、これらの資料に多量のインデックスラベルが貼りつけられる。さらに、同一の書類を３部作成する必要がある（例えば、立案書、届出本書、届出控えの３部）。このようなインデックスラベルの貼り付けは、目測により手で行う場合、位置を確認しながら行うので手間がかかってしまう。また、斜めに貼り付けてしまうことやラベルの間が開いてしまうことがあり、見栄えが悪くなることがあった。
【０００４】
そのため、用紙上でインデックスラベルの貼付位置を調整することができるインデックスラベル貼付補助具が知られている（例えば、特許文献１参照。）。このインデックスラベル貼付補助具は、インデックスラベルを貼り付ける用紙上に定規のように載置されるものである。この補助具には、インデックスラベルを貼り付ける位置を示すゲージが移動可能に取り付けられ、用紙にインデックスラベルを貼り付ける毎にゲージを移動させることで次のインデックスラベルを貼り付ける位置を示すものである。
【０００５】
また、シート状に形成されて用紙に係合され、その用紙上でインデックスラベルの貼付位置を示すインデックスラベル貼付補助具が知られている（例えば、特許文献２参照。）。このインデックスラベル貼付補助具は、端部にインデックスラベルを貼り付ける位置を示す切り欠きが設けられ、その切り欠きに合わせて用紙にインデックスラベルを貼り付けることができるものである。
【先行技術文献】
【特許文献】
【０００６】
【特許文献１】特開２００８−０１８６９９号公報
【特許文献２】特開２００５−２８８７９５号公報
【発明の概要】
【発明が解決しようとする課題】
【０００７】
しかしながら、特許文献１に記載のインデックスラベル貼付補助具は、用紙の途中位置からインデックスラベルを貼り付ける場合に貼付位置を合わせることができず、また、用紙１枚あたりに対して何枚のインデックスラベルを貼ることができるのか分からないものであり、大量のインデックスラベルを張り付ける際には不便なものであった。また、複数種類のインデックスラベルを使用する場合には対応できなかった。
【０００８】
特許文献２に記載のインデックスラベル貼付補助具は、用紙に係合されるものであるため、複数枚数の用紙に対して使用する場合に用紙がずれてしまうことがあり、大量にインデックスラベルを貼り付ける場合には不向きなものであった。また、このインデックスラベル貼付補助具も複数種類のインデックスラベルを使用する場合には対応できないものであった。
【０００９】
そこでこの発明は、用紙の途中位置からインデックスラベルを貼り付ける場合でも貼付位置を合わせることを可能にし、用紙１枚当たりにインデックスラベルを貼付可能な枚数を容易に把握でき、用紙のずれを防止し、さらに複数種類のインデックスラベルに対応したインデックスラベル貼付補助具を提供することを目的とする。
【課題を解決するための手段】
【００１０】
前記の課題を解決するために、請求項１の発明は、用紙を含む対象物の端部にインデックスラベルを貼り付けるためのインデックスラベル貼付補助具であって、前記対象物の形状及び大きさに合わせて形成されたシート状のシート部と、前記シート部の端部に隣接するように設けられ、前記対象物に隣接して前記対象物の載置位置を決定する壁部と、を備え、前記シート部には、前記対象物が載置されるシート本体部と、前記対象物に貼り付けられる前記インデックスラベルの貼付位置を示す貼付位置指示部と、前記対象物の載置位置を示す載置位置指示部と、を有し、前記壁部は、前記シート部における前記貼付位置指示部が設けられていない辺に隣接するように設けられた、ことを特徴とする。
【００１１】
この発明によれば、用紙を含む対象物がシート部上において壁部に隣接して載置され、壁部によって対象物の載置位置が決定される。シート部に設けられた貼付位置指示部によってインデックスラベルの貼付位置が示され、載置位置指示部によって、対象物の載置位置を変更する場合の載置位置が示される。
【００１２】
請求項２の発明は、請求項１に記載のインデックスラベル貼付補助具において、前記貼付位置指示部は、前記シート部における上辺及び右辺に設けられ、前記壁部は、前記シート部における下辺及び左辺に隣接するように略Ｌ字形状に設けられた、ことを特徴とする。
【００１３】
請求項３の発明は、請求項１または２のいずれか１項に記載のインデックスラベル貼付補助具において、前記載置位置指示部は、前記壁部に接するように設けられた目盛りであり、前記対象物は、前記目盛りに合わせて載置されることで前記壁部に隣接しない位置にて前記インデックスラベルが張り付けられる、ことを特徴とする。
【００１４】
請求項４の発明は、請求項１ないし３のいずれか１項に記載のインデックスラベル貼付補助具において、前記壁部には、前記対象物を前記シート本体部と挟持して固定するためのクリップ部が設けられた、ことを特徴とする。
【００１５】
請求項５の発明は、請求項１ないし４のいずれか１項に記載のインデックスラベル貼付補助具は、前記インデックスラベル貼付補助具は、複数種類の前記インデックスラベルに対応した前記貼付位置指示部を有する複数のシート部を備え、前記貼付位置指示部は、前記シート本体部に対して折り畳み可能に設けられ、前記複数のシート部は、前記対象物に対して前記複数種類のインデックスラベルの貼付位置を示す、ことを特徴とする。
【発明の効果】
【００１６】
請求項１の発明によれば、用紙等の対象物がシート部上において壁部に隣接して載置されるので、複数枚数の対象物に対して使用する場合であっても用紙がずれてしまうことを防止する。また、シート部に設けられた貼付位置指示部によってインデックスラベルの貼付位置が示されるので、インデックスラベルの貼付位置を把握することが容易になり、用紙１枚当たりにインデックスラベルを貼付可能な枚数を容易に把握することが可能になる。さらに、載置位置指示部によって載置位置が示されるので、用紙の載置位置を変更する場合、すなわち用紙の途中位置からインデックスラベルを貼り付ける場合でもインデックスラベルの貼付位置を把握することが可能になる。
【００１７】
請求項２の発明によれば、貼付位置指示部がシート部における上辺及び右辺に設けられているので、インデックスラベルを上辺及び右辺の２つの辺に貼り付けることが可能になり、インデックスラベルの貼付位置を把握することが容易になる。また、壁部がシート部における下辺及び左辺に隣接するように略Ｌ字形状に設けられているので、用紙のずれを容易に防止することができる。
【００１８】
請求項３の発明によれば、載置位置指示部としての目盛りが壁部に接するように設けられたことにより、用紙の途中位置からインデックスラベルを貼り付ける場合でもインデックスラベルの貼付位置を把握することがさらに容易になる。
【００１９】
請求項４の発明によれば、壁部に用紙を挟持して固定するためのクリップ部が設けられたことにより、複数枚数の用紙に対して使用する場合であっても用紙がずれてしまうことをより強固に防止する。
【００２０】
請求項５の発明によれば、複数種類のインデックスラベルに対応した貼付位置指示部を有する複数のシート部を備え、貼付位置指示部がシート部において折り畳み可能に設けられたことにより、複数種類のインデックスラベルに対応することを可能にし、１枚の用紙に対して複数種類のインデックスラベルを使用する場合でも使用可能にする。
【図面の簡単な説明】
【００２１】
【図１】この発明の実施の形態１に係るインデックスラベル貼付補助具の概略を示す平面図である。
【図２】この発明の実施の形態２に係るインデックスラベル貼付補助具の概略を示す平面図である。
【図３】この発明の実施の形態３に係るインデックスラベル貼付補助具の概略を示す平面図である。
【発明を実施するための形態】
【００２２】
以下、この発明を図示の実施の形態に基づいて説明する。
【００２３】
（実施の形態１）
図１は、この発明の実施の形態１に係るインデックスラベル貼付補助具１を示す平面図である。このインデックスラベル貼付補助具１は、対象物（例えば、用紙）の端部にインデックスラベルを貼り付けるための補助具であり、シート部１０及び壁部２０を備えている。
【００２４】
シート部１０は、用紙を載置するために用紙の形状及び大きさに合わせて平板状に形成されたシート状のものであり、例えば、厚さ０．５ｍｍのプラスチック樹脂により形成されている。シート部１０には、用紙が載置されるシート本体部１１と、右辺貼付位置指示部（貼付位置指示部）１２と、上辺貼付位置指示部（貼付位置指示部）１３と、下辺目盛り（載置位置指示部）１４と、左辺目盛り（載置位置指示部）１５とを有している。右辺貼付位置指示部１２及び上辺貼付位置指示部１３は、用紙におけるインデックスラベルの貼付位置を示すものであり、シート部１０の右辺端部及び上辺端部にそれぞれ設けられている。右辺貼付位置指示部１２は、例えば、インデックスラベルの貼付位置を１１枚分示しており、上辺貼付位置指示部１３は、例えば、インデックスラベルの貼付位置を７枚分示している。下辺目盛り１４及び左辺目盛り１５は、シート本体部１１上に用紙を載置する際の載置位置を示すものであり、右辺貼付位置指示部１２及び上辺貼付位置指示部１３の境目部分に対向するようにシート部１０の下辺端部及び左辺端部にそれぞれ設けられている。この下辺目盛り１４及び左辺目盛り１５は、用紙に対してインデックスラベルをずらして貼り付ける場合に使用されるものである。
【００２５】
壁部２０は、シート部１０の下辺及び左辺に隣接するように略Ｌ字形状の平板状に形成されたものであり、例えば、厚さ３ｍｍのプラスチック樹脂により形成されている。壁部２０は、この壁部２０の下辺部分である下辺壁部２１と、左辺部分である左辺壁部２２とを有している。シート本体部１１上に載置された用紙は、下辺壁部２１及び左辺壁部２２に隣接して載置される。
【００２６】
なお、シート部１０は、インデックスラベルの大きさに合わせて複数種類のものが設けられており、例えば、「大」、「中」、「小」の３種類のシート部１０が設けられている。図１では、このうちの「中」のシート部１０を示している。
【００２７】
このインデックスラベル貼付補助具１は、例えば、以下のように使用される。
【００２８】
まず、複数の用紙が下辺壁部２１及び左辺壁部２２に隣接して揃えられ、シート本体部１１上に載置される。用紙の右辺にインデックスラベルを貼り付ける場合には、右辺貼付位置指示部１２を使用して貼り付けが行われる。１枚目の用紙には、右辺貼付位置指示部１２における「中１」の箇所に合わせてインデックスラベルの粘着部が用紙の表面側に貼り付けられる。貼り付けられたインデックスラベルは、２つ折りにされ、粘着部が用紙の裏面側にも貼り付けられる。１枚目の用紙にインデックスラベルが貼り付けられると、１枚目の用紙が取り出される。２枚目の用紙には、右辺貼付位置指示部１２における「中２」の箇所に合わせてインデックスラベルの粘着部が用紙の表面側に貼り付けられる。１枚目の用紙の場合と同様に、インデックスラベルは２つ折りにされ、粘着部が用紙の裏面側にも貼り付けられる。このようにして、必要な用紙の枚数分インデックスラベルの貼り付けが行われる。右辺貼付位置指示部１２における「中１１」の箇所までインデックスラベルが貼り付けられた場合には、再度「中１」の箇所が使用される。
【００２９】
用紙の上辺にインデックスラベルを貼り付ける場合には、上辺貼付位置指示部１３を使用して貼り付けが行われる。１枚目の用紙には、上辺貼付位置指示部１３における「中１」の箇所に合わせてインデックスラベルの粘着部が用紙の表面側に貼り付けられる。貼り付けられたインデックスラベルは、２つ折りにされ、粘着部が用紙の裏面側にも貼り付けられる。１枚目の用紙にインデックスラベルが貼り付けられると、１枚目の用紙が取り出される。２枚目の用紙には、上辺貼付位置指示部１３における「中２」の箇所に合わせてインデックスラベルの粘着部が用紙の表面側に貼り付けられる。１枚目の用紙の場合と同様に、インデックスラベルは２つ折りにされ、粘着部が用紙の裏面側にも貼り付けられる。このようにして、必要な用紙の枚数分インデックスラベルの貼り付けが行われる。上辺貼付位置指示部１３における「中７」の箇所までインデックスラベルが貼り付けられた場合には、再度「中１」の箇所が使用される。
【００３０】
用紙の右辺の途中からインデックスラベルを貼り付ける場合、例えば、用紙右辺の下方に５つだけインデックスラベルを貼り付ける場合、以下のように貼り付けが行われる。まず、用紙の下辺右端が右辺貼付位置指示部１２における「中５」の箇所と「中６」の箇所との間に合うように載置され、用紙の下辺左端が左辺目盛り１５の対応する箇所に合うように載置される。１枚目の用紙には、右辺貼付位置指示部１２における「中１」の箇所に合わせてインデックスラベルの粘着部が用紙の表面側に貼り付けられる。その後は、前述同様に右辺貼付位置指示部１２における「中５」の箇所まで貼り付けが行われる。
【００３１】
このように、インデックスラベル貼付補助具１によれば、複数の用紙が下辺壁部２１及び左辺壁部２２に隣接して揃えられ、シート本体部１１上に載置されるので、複数の用紙がずれてしまうことを防止する。また、右辺貼付位置指示部１２及び上辺貼付位置指示部１３が設けられたことにより、用紙の上辺及び右辺にインデックスラベルを貼り付けることが可能になり、インデックスラベルの貼付位置を容易に把握することができる。さらに、下辺目盛り１４及び左辺目盛り１５が設けられたことにより、用紙の途中位置からインデックスラベルを貼り付ける場合であってもインデックスラベルの貼付位置を把握することが可能になる。
【００３２】
（実施の形態２）
図２は、この実施の形態２に係るインデックスラベル貼付補助具１Ａを示す平面図である。このインデックスラベル貼付補助具１Ａは、図１に示すインデックスラベル貼付補助具１における壁部２０とは異なる壁部２０Ａを備えている点で、実施の形態１に係るインデックスラベル貼付補助具１とは異なる。壁部２０Ａは、実施の形態１に係る壁部２０が有している下辺壁部２１及び左辺壁部２２に加えて、下辺クリップ部（クリップ部）２３と、左辺クリップ部（クリップ部）２４とを有している。その他の構成においては、インデックスラベル貼付補助具１と同様である。
【００３３】
下辺クリップ部２３は、シート本体部１１に載置された用紙を挟持するための金具であり、下辺壁部２１のシート本体部１１と隣接する辺における略中央付近に略逆Ｕ字型に形成されている。左辺クリップ部２４は、シート本体部１１に載置された用紙を挟持するための金具であり、左辺壁部２２のシート本体部１１と隣接する辺における略中央付近に略逆Ｃ字型に形成されている。
【００３４】
このインデックスラベル貼付補助具１Ａは、実施の形態１に係るインデックスラベル貼付補助具１と同様に使用されるが、シート本体部１１に複数の用紙が載置されると、その用紙は、下辺クリップ部２３及び左辺クリップ部２４とシート本体部１１とにより挟持される。
【００３５】
このように、インデックスラベル貼付補助具１Ａによれば、下辺クリップ部２３及び左辺クリップ部２４が設けられたことにより、複数枚数の用紙に対して使用する場合であっても用紙がずれてしまうことをより強固に防止することが可能になる。
【００３６】
（実施の形態３）
図３は、この実施の形態３に係るインデックスラベル貼付補助具１Ｂを示す平面図である。このインデックスラベル貼付補助具１Ｂは、図２に示すインデックスラベル貼付補助具１Ａにおけるシート部１０とは異なるシート部１０Ｂを備えている点で、実施の形態２に係るインデックスラベル貼付補助具１Ａとは異なる。シート部１０Ｂは、実施の形態２に係るシート部１０が有している右辺貼付位置指示部１２及び上辺貼付位置指示部１３に替えて、右辺貼付位置指示部１２ａ，１２ｂ，１２ｃと、上辺貼付位置指示部１３ａ，１３ｂとを有している。その他の構成においては、インデックスラベル貼付補助具１Ａと同様である。
【００３７】
右辺貼付位置指示部１２ａ，１２ｂ，１２ｃ及び上辺貼付位置指示部１３ａ，１３ｂは、シート本体部１１に対して折り畳み可能に形成されている点において、実施の形態２に係る右辺貼付位置指示部１２及び上辺貼付位置指示部１３とは異なる。図３では、３枚のシート部１０Ｂが重ねて載置され、インデックスラベルの大きさが「中」の右辺貼付位置指示部１２ａを２枚、インデックスラベルの大きさが「小」の右辺貼付位置指示部１２ｂを５枚、インデックスラベルの大きさが「大」の右辺貼付位置指示部１２ｃを５枚、インデックスラベルの大きさが「中」の上辺貼付位置指示部１３ａを２枚、インデックスラベルの大きさが「大」の上辺貼付位置指示部１３ｂを４枚使用し、残りは折り畳まれている状態を示している。
【００３８】
このインデックスラベル貼付補助具１Ｂは、実施の形態２に係るインデックスラベル貼付補助具１と同様に使用されるが、右辺貼付位置指示部１２ａ，１２ｂ，１２ｃ及び上辺貼付位置指示部１３ａ，１３ｂにそれぞれ対応した大きさのインデックスラベルが貼り付けられる。
【００３９】
このように、インデックスラベル貼付補助具１Ｂによれば、右辺貼付位置指示部１２ａ，１２ｂ，１２ｃ及び上辺貼付位置指示部１３ａ，１３ｂを折り畳み可能に形成し、複数のシート部１０Ｂを重ねて載置して使用するようにしたことにより、複数種類のインデックスラベルに対応することを可能になり、１枚の用紙に対して複数種類のインデックスラベルを使用する場合でも使用することが可能になる。
【００４０】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１ないし３における右辺貼付位置指示部１２，１２ａ，１２ｂ，１２ｃ及び上辺貼付位置指示部１３，１３ａ，１３ｂは「大」、「中」、「小」の３種類のインデックスラベルに対応可能にしたが、他の大きさのインデックスラベルに対応させてもよい。
【００４１】
また、実施の形態２及び３における下辺クリップ部２３及び左辺クリップ部２４は、略逆Ｕ字型及び略逆Ｃ字型の金具にて形成したが、下辺壁部２１及び左辺壁部２２から延設された平板上の突出部を形成し、その突出部に用紙を挟持させるようにしてもよい。
【符号の説明】
【００４２】
１，１Ａ，１Ｂ                インデックスラベル貼付補助具
１０，１０Ｂ                  シート部
１１                          シート本体部
１２，１２ａ，１２ｂ，１２ｃ  右辺貼付位置指示部
１３，１３ａ，１３ｂ          上辺貼付位置指示部
１４                          下辺目盛り
１５                          左辺目盛り
２０                          壁部
２１                          下辺壁部
２２                          左辺壁部
２３                          下辺クリップ部
２４                          左辺クリップ部
【図１】
0006533968.tif 000002
【図２】
0006533968.tif 000003
【図３】
0006533968.tif 000004